(57)【特許請求の範囲】
【請求項１】
断熱箱体からなる貯蔵庫本体の前面開口部に扉が開閉可能に装着され、この扉に装着されたヒータ等の電装品から引き出されたリード線が、前記前面開口部の上側の口縁部に沿って配線されたのち、前記貯蔵庫本体内を通って貯蔵庫本体側に設けられた電源供給部と接続されるとともに、前記前面開口部の上側の口縁部に配線された前記リード線がカバーで覆われたものにおいて、
前記カバーは、前記リード線を受けて前記貯蔵庫本体に取り付けられる上面開放の下カバー部と、前記下カバー部の上面を覆って被着される上カバー部とに２分割され、
前記下カバー部は、底板と、底板の後端縁から前面開口部の上側の口縁部に沿って立ち上がる後側の側板と、前記底板の前端縁から前記後側の側板に対向して立ち上がる前側の側板と、前記後側の側板の上端縁から直角曲げされ、前記貯蔵庫本体の上面に当接されて固定される取付板とを有し、
前記取付板には、本止め用のねじが挿通する挿通孔、および仮止め用のねじが挿通する挿通孔が形成され、
前記上カバー部は、前記下カバー部の上面開口を覆って前記取付板の上面に重ねられる平板状をなすものであり、
前記上カバー部のうち前記取付板と重なる部分には、前記本止め用のねじが挿通する挿通孔に対応する位置に、前記本止め用のねじが挿通する挿通孔が形成されるとともに、前記仮止め用のねじが挿通する挿通孔に対応する位置には、前記仮止め用のねじを逃がす逃がし凹部が形成されており、
前記上カバー部と前記下カバー部とは、共締めによって前記貯蔵庫本体に取り付けられ、
また、前記下カバー部の前記前側の側板の上縁には、後方と下方とに二度直角曲げされたフランジが設けられ、前記上カバー部の前縁には、下方と前方とに二度直角曲げされて前記フランジ部の下に潜って掛止する掛止部が設けられていることを特徴とする貯蔵庫の配線構造。
【請求項２】
前記リード線の前記貯蔵庫本体内への挿通孔が、前記前面開口部の上側の口縁部に開口されていることを特徴とする請求項１に記載の貯蔵庫の配線構造。
【請求項３】
前記貯蔵庫本体内に配線されるリード線は、断熱材の発泡前に当該貯蔵庫本体の外殻体内に配線されて前記断熱材中に埋設された状態とされ、前記リード線の端部が前記貯蔵庫本体の外面に開口された挿通孔から外部に引き出されていることを特徴とする請求項１または請求項２に記載の貯蔵庫の配線構造。
【発明の詳細な説明】
【技術分野】
【０００１】
本発明は、冷蔵ショーケース等の貯蔵庫の配線構造に関する。
【背景技術】
【０００２】
例えばガラス扉を備えた冷蔵ショーケースでは、ガラスの曇り止め等のためにガラスを加熱するヒータをガラス扉内に装着したものが知られている（例えば、特許文献１参照）。  
ここでヒータのリード線は、本体側に設けられた電源供給部と接続する必要があるが、その配線構造の一例としては以下のようなものがある。これは、図１０を参照して説明すると、ガラス扉１からのリード線２は、上側のヒンジ部を通して上方に引き出されたのち、本体３における前面開口部の上側の口縁部３Ａに沿って配線されて適宜間隔を開けた複数位置でパースロック４（クランプ）に嵌められ、本体３の上面に開口された挿通孔から本体３内に通されて、例えば本体３の底部に配された機械室内に装備された電装箱に導かれる。リード線２を、前面開口部の上口縁部３Ａに沿って配線したのは、水等が掛かり難くするためである。そして、リード線２の配線部分はカバー５で覆っており、具体的には、カバー５が、上板５Ａが幅広に延出形成された断面コ字形に形成され、カバー５内にリード線２を収めつつ上口縁部３Ａを覆ったのち、上板５Ａの延出端を本体３の上面にねじ６で止めて固定していた。
【特許文献１】特開２００５−２２１１８４公報
【発明の開示】
【発明が解決しようとする課題】
【０００３】
上記のカバー５の取付構造では、リード線２を隠された状態でカバー５内に収めねばならないため、正規に収まったか否かが判り辛くてその確認に手間取り、またスムーズに収めるためにリード線２を極力細く束ねることも必要であって、いずれにしても作業工数が掛かるという問題があった。  
また、リード線２が本体３の上面の挿通孔から本体３内に挿通される構造であるため、カバー５の上板５Ａをねじ止めした場合に上板５Ａの延出端縁がリード線２を押さえて傷付けるおそれもあり、保護のためにチューブを被せなければならないという問題もあった。  
本発明は上記のような事情に基づいて完成されたものであって、その目的は、カバーの取り付けを含め配線作業を容易に行えるようにするところにある。
【課題を解決するための手段】
【０００４】
上記の目的を達成するための手段として、請求項１の発明は、断熱箱体からなる貯蔵庫本体の前面開口部に扉が開閉可能に装着され、この扉に装着されたヒータ等の電装品から引き出されたリード線が、前記前面開口部の上側の口縁部に沿って配線されたのち、前記貯蔵庫本体内を通って貯蔵庫本体側に設けられた電源供給部と接続されるとともに、前記前面開口部の上側の口縁部に配線された前記リード線がカバーで覆われたものにおいて、前記カバーは、前記リード線を受けて前記貯蔵庫本体に取り付けられる上面開放の下カバー部と、前記下カバー部の上面を覆って被着される上カバー部とに２分割され、前記下カバー部は、底板と、底板の後端縁から前面開口部の上側の口縁部に沿って立ち上がる後側の側板と、前記底板の前端縁から前記後側の側板に対向して立ち上がる前側の側板と、前記後側の側板の上端縁から直角曲げされ、前記貯蔵庫本体の上面に当接されて固定される取付板とを有し、前記取付板には、本止め用のねじが挿通する挿通孔、および仮止め用のねじが挿通する挿通孔が形成され、前記上カバー部は、前記下カバー部の上面開口を覆って前記取付板の上面に重ねられる平板状をなすものであり、前記上カバー部のうち前記取付板と重なる部分には、前記本止め用のねじが挿通する挿通孔に対応する位置に、前記本止め用のねじが挿通する挿通孔が形成されるとともに、前記仮止め用のねじが挿通する挿通孔に対応する位置には、前記仮止め用のねじを逃がす逃がし凹部が形成されており、前記上カバー部と前記下カバー部とは、共締めによって前記貯蔵庫本体に取り付けられ、また、前記下カバー部の前記前側の側板の上縁には、後方と下方とに二度直角曲げされたフランジが設けられ、前記上カバー部の前縁には、下方と前方とに二度直角曲げされて前記フランジ部の下に潜って掛止する掛止部が設けられている構成としたところに特徴を有する。
【０００５】
また、請求項２の発明は、請求項１に記載のものにおいて、前記リード線の前記貯蔵庫本体内への挿通孔が、前記前面開口部の上側の口縁部に開口されている構成としたところに特徴を有する。
【０００６】
請求項３の発明は、請求項１または請求項２に記載のものにおいて、前記貯蔵庫本体内に配線されるリード線は、断熱材の発泡前に当該貯蔵庫本体の外殻体内に配線されて前記断熱材中に埋設された状態とされ、前記リード線の端部が前記貯蔵庫本体の外面に開口された挿通孔から外部に引き出されているところに特徴を有する。
【発明の効果】
【０００７】
＜請求項１の発明＞
貯蔵庫本体における前面開口部の上側の口縁部に下カバー部が取り付けられたのち、扉から引き出された電装品のリード線が下カバー部で受けられるようにして同カバー部に沿って配線され、そののち上カバー部が下カバー部に被せられる。  
リード線は初めに上面開放の下カバー部に配線されるのであるから、上カバー部を被せる際に、リード線が両カバー部内に正規に収まるか否かが確認しやすく、仮にはみ出そうであれば、配線を直しつつ上カバー部を被せれば良いから、下カバー部への配線時にいたずらに神経質となる必要もなく、リード線の配線からカバーの取り付けにわたる作業を、短時間で能率良く行うことができる。  
また、上カバー部を貯蔵庫本体にねじ止めする形式のものにあって、下カバー部と共締めするようにしたから、ねじ止め箇所が少なくできて、作業工数をさらに減少させることができる。
【０００８】
＜請求項２の発明＞
貯蔵庫本体における前面開口部の上側の口縁部に沿って配線されたリード線は、同上側の口縁部に開口された挿通孔から貯蔵庫本体内に挿通される。逆に言うと、貯蔵庫本体からリード線がカバー内に向かうように引き出された状態となるから、カバーを取り付けるに当たってリード線を噛んだり、カバーの端縁でリード線を押さえることが回避でき、保護のためにリード線にチューブを被せる等の手間が不要にできる。もって、リード線の配線からカバーの取り付けにわたる作業を、短時間で能率良く行うことができる。
【０００９】
＜請求項３の発明＞
貯蔵庫本体内にリード線を配線する場合に、例えば外壁に挿通孔を開口して庫内の隅部等に沿って配線する構造が知られているが、このものでは、挿通孔を形成するべく発泡後に断熱材を除去する作業が必要であり、また挿通後は冷気洩れを防ぐために挿通孔をシールする必要があり、面倒な作業が余儀なくされるという問題がある。  
その点本発明では、リード線は、断熱材の発泡に伴い同断熱材中に埋設された状態で貯蔵庫本体内に配線され、かつリード線の端部が貯蔵庫本体の外面に開口された挿通孔から外部に引き出された状態となる。  
そのため従来のように、断熱材の発泡後の孔開け作業が不要にでき、また冷気洩れのおそれも無くなるためにシール作業も不要にでき、結果、配線時間を大幅に短縮することができる。
【発明を実施するための最良の形態】
【００１０】
＜実施形態＞
本発明の一実施形態を図１ないし図９によって説明する。この実施形態では、冷蔵ショーケースを例示している。  
冷蔵ショーケースは、図１及び図２に示すように、内部を貯蔵室１１としたケース本体１０を備え、このケース本体１０は、縦長の矩形箱状で、かつ前面に開口された断熱箱体によって形成されている。断熱箱体は、例えばステンレス鋼板からなる外箱１２と内箱１３との間に、発泡樹脂からなる断熱材１４が発泡充填された構造である。ケース本体１０の前面開口部１５には、一対のガラス扉４０が開閉可能に装着されており、このケース本体１０が機械室１７の上面に載置され、機械室１７の底面に設けられた脚１８によって支持されている。機械室１７内には、圧縮機、空冷式の凝縮器等からなる冷凍装置（図示せず）と、電装箱１９等が設置されている。
【００１１】
一方、貯蔵室１１の天井部における奥側にはドレンパンを兼ねたエアダクト２１が張設されて、その上方に冷却器室２２が形成されており、手前側に吸込口２３が、奥側に吹出口２４が設けられている。冷却器室２２内には冷却器２６が収容されているとともに、吸込口２３に臨んで庫内ファン２７が装備されている。冷却器２６は、機械室１７内の冷凍装置と冷媒配管２８により循環接続されることで、周知の冷凍回路が構成されている。  
貯蔵室１１内には、棚柱３０を介して棚網３１が複数段にわたって装着されているとともに、左右の側壁における前面開口部１５に近い位置には、貯蔵室１１内を点灯する蛍光灯３３が縦向きに取り付けられている。
【００１２】
冷却運転は、冷凍装置（圧縮機）と庫内ファン２７が駆動されることで行われ、貯蔵室１１内の空気が吸込口２３から冷却器室２２内に引かれて、冷却器２６を通過する間に熱交換により冷気が生成され、この冷気が吹出口２４から奥面に沿うようにして貯蔵室１１内に吹き出されるといった循環流を生じ、もって貯蔵室１１内が冷却されるようになっている。この間、温度センサで貯蔵室１１内の温度が検知され、検知温度が予め定められた設定温度よりも高いか低いかによって冷却運転とその停止とが制御され、貯蔵室１１内がほぼ設定温度に維持されるようになっている。
【００１３】
ガラス扉４０は、アルミニウム材等からなる枠体４１内に、ガラス板４２が例えば複数層に嵌着された構造であって、上記のように左右一対が装備されている。両ガラス扉４０は、互いに離間した側の縦枠４１Ａの上下両端部が、ケース本体１０の前面開口部１５における左右の口縁部の上下両端に設けられたヒンジ部３５（図５参照）によって支持され、観音開き式の揺動開閉可能となっている。なお、両ガラス扉４０における互いに隣接した縦枠には、把手４４が設けられている。  
このようなガラス扉４０では、庫内外の温度差によってガラス板４２の表面に結露し、すなわち曇る可能性があり、それを防ぐために、コーティングヒータ等の扉ヒータ４５が枠体４１内に装着されてガラス板４２が加熱されるようになっている。
【００１４】
このようにガラス扉４０に装備された扉ヒータ４５のリード線５０は、ケース本体１０の前面開口部１５における上口縁部１５Ａに沿って配線されたのち、同上口縁部１５Ａの右端寄りの位置から、ケース本体１０の右側壁内を下って底面に貫通し、ケース本体１０の下部の機械室１７内に設けられた電装箱１９と接続されている。  
さらに、配線構造について詳細に説明する。ケース本体１０内におけるリード線５０（以下、本体側リード線５２）の配線は、以下のようにして行われる。
【００１５】
図３は、ケース本体１０を構成する外箱１２の一部を示し、上面板と背面板とは後付けされる。外箱１２の前面開口部１５における上口縁部１５Ａの右端寄りの位置と、底面板１２Ａにおける手前右隅の位置とには、それぞれ挿通孔５４，５５が開口されている。そして、本体側リード線５２は、上口縁部１５Ａの挿通孔５４から挿通されたのち、右側板１２Ｂにおける前側の端縁の裏面に沿うようにして下方に配線され、底面板１２Ａの挿通孔５５から下方に引き出される。両挿通孔５４，５５から引き出された本体側リード線５２の両端部には、コネクタ５６が取り付けられている。  
また、上記外箱１２の前面開口部１５における裏側の口縁部には、前面枠ヒータ５７が全周にわたって貼り付けられ、そのリード線５７Ａは、底面板１２Ａに開口された別の挿通孔５８を通って下方に引き出されている。
【００１６】
上記のように、本体側リード線５２の配線と、前面枠ヒータ５７の貼り付け並びにそのリード線５７Ａの配線が完了したら、外箱１２内に内箱１３が間隔を開けて嵌められたのち、外箱１２の上面板と背面板とが組み付けられて外殻体が形成される。この外殻体が発泡治具にセットされて、外殻体内に発泡ウレタン等の発泡樹脂からなる断熱材１４が注入されて発泡充填されることにより、断熱箱体すなわちケース本体１０が形成される。  
したがって、扉ヒータ４５のリード線５０のうち本体側リード線５２は、ケース本体１０の前面開口部１５における上口縁部１５Ａの右端寄りの挿通孔５４から内部に挿通され、ケース本体１０の右側壁内における手前側の部分を通って垂下し、底面板１２Ａの手前右隅の挿通孔５５から下方に引き出された状態となる。  
そして、ケース本体１０の下面に機械室１７が組み付けられるときには、本体側リード線５２の下端に設けられたコネクタが、電装箱１９の電源供給用の接続口に接続される。なお、前面枠ヒータ５７のリード線５７Ａも電装箱１９と接続される。一方、本体側リード線５２の上端は、上口縁部１５Ａの挿通孔５４から前方に突出し、その突出端にコネクタ５６が設けられた状態にある。
【００１７】
扉ヒータ４５のリード線５０のうち扉側リード線５１Ａ，５１Ｂは、各ガラス扉４０から引き出されたのち、前面開口部１５の上口縁部１５Ａに沿って配線されつつ、上記した挿通孔５４から引き出された本体側リード線５２と接続される。  
詳細には、左側のガラス扉４０の扉側リード線５１Ａは、同ガラス扉４０の左側（支持側）の縦枠４１Ａの上面から引き出されたのち、対応するヒンジ部３５の通孔３６を通して長い寸法（例えばガラス扉４０の幅よりも大きい寸法）引き出され、その端部にコネクタ６０Ａが取り付けられる。一方の右側のガラス扉４０の扉側リード線５１Ｂは、同ガラス扉４０の右側（支持側）の縦枠４１Ａの上面から引き出されたのち、対応するヒンジ部３５の通孔３６を通して、こちらは短い寸法（例えばガラス扉４０の幅の半分よりも短い寸法）引き出され、その端部にコネクタ６０Ｂが取り付けられる。  
また、長短２本の中継ケーブル６２が備えられ、両ケーブル６２の一端側が共通のコネクタ６３に取り付けられているとともに、他端側には個別のコネクタ６４Ａ，６４Ｂが取り付けられている。この個別のコネクタ６４Ａ，６４Ｂは、それぞれ各扉側リード線５１Ａ，５１Ｂの端部のコネクタ６０Ａ，６０Ｂと接続可能であり、また共通のコネクタ６３は、上記した本体側リード線５２の上端のコネクタ５６と接続可能となっている。
【００１８】
上記した前面開口部１５の上口縁部１５Ａに沿うように配線されるリード線５０（扉側リード線５１Ａ，５１Ｂ、本体側リード線５２）、中継ケーブル６２を覆うカバー７０が備えられている。  
カバー７０は、ともに金属板からなる下カバー部７１と、上カバー部７２とを備えている。図４ないし図６に示すように、下カバー部７１は略チャンネル状に形成されており、ケース本体１０の間口とほぼ等しい長さと、前面開口部１５の上口縁部１５Ａのうち、ガラス扉４０が閉じられた場合の前方に露出する上端部の高さのほぼ半分の深さ寸法を有している。
【００１９】
前側の側板７３Ａの上縁には、後方と下方とに二度直角曲げされたフランジ７４が全長ににわたって形成されている。後側の側板７３Ｂは、長さ方向の両端部が所定長ずつ切除されており、残った後側の側板７３Ｂの上縁には、後方に向けて直角曲げされた幅広の取付板７５が形成されている。この取付板７５は、図６に示すように、ケース本体１０の上面における手前側の端縁に当接されて固定されるようになっており、同取付板７５の後縁に沿うようにして、図示４個のねじ７６の挿通孔７７が所定間隔を開けて形成されている。また、同後縁における長さ方向の中央部には、仮止め用のねじ７８の挿通孔７９が形成されている。  
それに対して、ケース本体１０の上面における手前側の端縁には、挿通孔７７に対応した位置ごとに本止め用のねじ孔３８が、また挿通孔７９に対応した位置に仮止め用のねじ孔３９が形成されている。  
また、下カバー部７１の底板８０における両端部には、開口された後縁側から、ヒンジ部３５を嵌めて逃がす逃がし溝８１が切り欠き形成されている。
【００２０】
上カバー部７２は、下カバー部７１の上面開口を覆って装着されるものであって、下カバー部７１と同じ長さと、下カバー部７１における取付板７５を含んだ幅と同じ幅を有する平板状に形成されている。ただし、前縁には、下方と前方とに二度直角曲げされてアングル状の掛止部８３が形成されている。  
この上カバー部７２は、その後縁部が下カバー部７１の取付板７５の上面に重ねられて、共締めによって、ケース本体１０の上面における手前側の端縁に固定できるようになっており、そのため上カバー部７２の後縁には、上記した下カバー部７１の取付板７５の本止め用のねじ７６の挿通孔７７と対応する位置ごとに、同ねじ７６の挿通孔８４が形成されている。また、仮止め用のねじ７８の挿通孔７９と対応する位置には、同ねじ７８を逃がす逃がし凹部８５が切り欠き形成されている。
【００２１】
なお、下カバー部７１の前側の側板７３Ａにおける右端寄りの位置には、取付孔８７が開口され、この取付孔８７には、上記した蛍光灯３３用のスイッチ８８が前方からの差し込みにより着脱可能に取り付けられるようになっている。なお、このスイッチ８８には、接続線（図示せず）が後面側において着脱可能に接続されるようになっており、この接続線の他端は、上口縁部１５Ａの挿通孔５４から導入されて、上記した扉ヒータ４５の本体側リード線５２と同様に、ケース本体１０の右側壁内を通って垂下して機械室１７内に引き出され、電装箱１９に接続されている。  
また、組み付けられたカバー７０の左右の開放面を塞ぐ合成樹脂製のキャップ９０が備えられている。
【００２２】
本実施形態は上記のような構造であって、続いて扉ヒータ４５のリード線５０の配線手順の一例を説明する。  
ケース本体１０の前面開口部１５に左右一対のガラス扉４０が装着され、またケース本体１０が機械室１７の上面に組み付けられ状態では、図５に参照して示すように、前面開口部１５の上口縁部１５Ａにおける右端寄りの位置の挿通孔５４から、本体側リード線５２の上端がコネクタ５６ともども前方に突出される。なお、同挿通孔５４から、蛍光灯３３用のスイッチ８８の接続線の上端部も併せて引き出される。  
また、左側のガラス扉４０からは、左上のヒンジ部３５の通孔３６を通って、長めの扉側リード線５１Ａがコネクタ６０Ａともども引き出され、また、右側のガラス扉４０からは、右上のヒンジ部３５の通孔３６を通って、短めの扉側リード線５１Ｂがコネクタ６０Ｂともども引き出された状態にある。
【００２３】
この状態から、左右のヒンジ部３５を逃がし溝８１に嵌めて逃がしつつ、下カバー部７１がケース本体１０の前面開口部１５の上口縁部１５Ａにおける上部領域に向けられ、それとともに図６に示すように、取付板７５がケース本体１０の上面の手前側の端縁に当てられる。さらに、取付板７５の各挿通孔７７，７９が、ケース本体１０の上面の対応するねじ孔３８，３９に整合され、特に仮止め用のねじ７８が、中央の挿通孔７９を通して仮止め用のねじ孔３９にねじ込まれることで、下カバー部７１が、上口縁部１５Ａの上部領域の前面において間口方向に沿った姿勢で仮止めされる。このとき、後側の側板７３Ｂの右端部が切除されていることで、本体側リード線５２の上端部等を引き出した挿通孔５４が、前方に開放された状態にある。
【００２４】
次に、コネクタ付きの中継ケーブル６２が準備され、共通のコネクタ６３が本体側リード線５２の上端のコネクタ５６と、個別のコネクタ６４Ａ，６４Ｂが、対応する扉側リード線５１Ａ，５１Ｂの端部のコネクタ６０Ａ，６０Ｂとそれぞれ接続され、これらのリード線５０、中継ケーブル６２及びコネクタが、下カバー部７１の全長を利用して収められる。下カバー部７１は、上面に開口しているから、リード線５０等が正規に下カバー部７１に収まっているか否かが簡単かつ確実に判断でき、配線のし直しも目視しつつ簡単に行える。このとき、スペースに余裕があれば、できるだけ後方、すなわちケース本体１０側に寄せておくとよい。  
また、蛍光灯３３用のスイッチ８８が取付孔８７に嵌められ、下カバー部７１内で挿通孔５４から引き出された接続線と接続される。
【００２５】
このように配線が終わったら、図７に示すように、前縁の掛止部８３をフランジ７４の下に潜らせて掛止しつつ、上カバー部７２が下カバー部７１の上面開口を覆って被せられる。このとき、上カバー部７２の後縁側が下カバー部７１の取付板７５の上に重ねられるから、上カバー部７２の４個の挿通孔８４が、取付板７５の対応する挿通孔７７と整合される。そののち、都合４箇所において、本止め用のねじ７６が挿通孔８４，７７を通してその下のねじ孔３８にねじ込まれ、上カバー部７２の後縁部と下カバー部７１の取付板７５とが、共締めによってケース本体１０の上面の手前側の端縁に対して固定される。これにより、図８に示すように、扁平な角筒形をなすカバー７０が組み付けられ、同カバー７０内に、リード線５０と中継ケーブル６２とが、コネクタともども収容された状態となる。  
最後に、カバー７０の左右の開放端面にキャップ９０が嵌められることにより、扉ヒータ４５のリード線５０等の配線、並びにカバー７０の取り付けが完了する。
【００２６】
なお、カバー７０を取り外す場合は、上記の手順とはほぼ逆に、まず両端のキャップ９０を外したのち、本止め用の４本のねじ７６を緩めて上カバー部７２を外す。次に各コネクタを外すとともに、蛍光灯３３用のスイッチ８８から接続線を外す。そののち、仮止め用のねじ７８（１本）を緩めて下カバー部７１を外し、最後にスイッチ８８を取付孔８７から引き抜けばよい。
【００２７】
以上説明したように本実施形態によれば、ケース本体１０の前面開口部１５の上口縁部１５Ａに下カバー部７１が仮止めされたのち、ガラス扉４０から引き出された扉ヒータ４５のリード線５０等が下カバー部７１で受けられるようにして同下カバー部７１に沿って配線され、そののち上カバー部７２が下カバー部７１に被せられて固定される。  
すなわち、カバー７０が上下に２分割され、リード線５０等は初めに上面開放の下カバー部７１に配線されるのであるから、上カバー部７２を被せる際に、リード線５０等が両カバー部７１，７２すなわちカバー７０内に正規に収まるか否かが確認しやすく、仮にはみ出そうであれば、配線を直しつつ上カバー部７２を被せれば良いから、下カバー部７１への配線時にいたずらに神経質となる必要もなく、リード線５０の配線からカバー７０の取り付けにわたる作業を、短時間で能率良く行うことができる。
【００２８】
また、ケース本体１０の前面開口部１５の上口縁部１５Ａに沿って配線されたリード線５０は、同上口縁部１５Ａに開口された挿通孔５４からケース本体１０内に挿通される構造となっているから、例えば同リード線５０をケース本体１０の上面側からケース本体１０内に挿通する場合と比較すると、上カバー部７２の後縁がケース本体１０の上面に向けて配線されたリード線５０を押さえるおそれがない。そのためリード線５０の保護のためにチューブを被せる等の手間を不要とすることができ、このことも、リード線５０の配線からカバー７０の取り付けにわたる作業を、短時間で能率良く行うために有効となる。  
本実施形態では、下カバー部７１と上カバー部７２とがともにケース本体１０に対してねじ止めして固定されるが、両カバー部７１，７２を共締めするようにしたから、ねじ止め箇所が少なくできて、作業工数をさらに減少させることができる。
【００２９】
なお、ケース本体１０内に扉ヒータ４５のリード線５０を配線する場合に、従来では、ケース本体１０の上面壁と底面壁の角部寄りの位置にそれぞれ挿通孔を形成し、上面壁の挿通孔からリード線５０を通して貯蔵室１１の隅部に沿うように垂下させたのち、底面壁の挿通孔から機械室１７に導くようにしていた。上面壁と底面壁の挿通孔は具体的には、断熱材１４を発泡充填したのち断熱材１４を除去することで形成されるが、リード線５０を通すに足る大きさの孔を開けるには結構手間が掛かる。また、上面壁の挿通孔にリード線５０を通すには、踏み台等の設備が必要となる。さらに、リード線５０を通したのちは、冷気洩れを防ぐために挿通孔をシールする必要があり、面倒であるばかりでなく、作業者により見た目に差ができるおそれがある等の数々の不具合があった。
【００３０】
それに対し本実施形態では、本体側リード線５２は、断熱材１４の発泡前に外殻体内に配線しておき、断熱材１４中に埋設した状態として、同リード線５２の両端部を、ケース本体１０の前面開口部１５の上口縁部１５Ａに設けた挿通孔５４と、底面の挿通孔５５とからそれぞれ引き出した構造となっている。  
そのため従来のように、断熱材１４の発泡後の孔開け作業、配線を行うための踏み台への昇降動作等が不要となる。また、挿通孔からの冷気洩れのおそれが無くなるためにシール作業も不要となり、当然にシールの塗布にばらつきもでないから、製品の品質も安定する。
【００３１】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。  
（１）上カバー部は下カバー部に対して弾性的に係止して被着される構造であってもよい。
【００３２】
（２）ガラス扉から引き出されるリード線は、扉ヒータに限らず、各種センサ等の他の電装品のリード線であってもよい。  
（３）本発明は、上記実施形態に例示した冷蔵ショーケースに限らず、断熱箱体からなる貯蔵庫本体の前面開口部に扉が開閉可能に装備された貯蔵庫において、扉から電装品のリード線が引き出されたもの全般に広く適用することができる。
【図面の簡単な説明】
【００３３】
【図１】本発明の一実施形態に係る冷蔵ショーケースの一部切欠正面図
【図２】同縦断面図
【図３】本体側リード線の配線動作を示す斜視図
【図４】カバーの取付部分を分解した冷蔵ショーケースの斜視図
【図５】カバーの取付部分の分解斜視図
【図６】下カバー部の仮止め状態の概略断面図
【図７】上カバー部の被着構造を示す概略断面図
【図８】カバーの組付完了時の概略断面図
【図９】カバー取付時の斜視図
【図１０】従来例に係るカバーの取付動作を示す概略断面図
【符号の説明】
【００３４】
１０…ケース本体（貯蔵庫本体）  １５…前面開口部  １５Ａ…上口縁部  １７…機械室  １９…電装箱（電源供給部）  ３５…ヒンジ部  ３８…（本止め用の）ねじ孔  ３９…（仮止め用の）ねじ孔  ４０…ガラス扉  ４５…扉ヒータ（電装品）  ５０…リード線  ５１Ａ，５１Ｂ…扉側リード線  ５２…本体側リード線  ５４，５５…挿通孔  ６２…中継ケーブル  ７０…カバー  ７１…下カバー部  ７２…上カバー部  ７５…取付板  ７６…（本止め用の）ねじ  ７８…（仮止め用の）ねじ
【図１】
0004705883.tif 000002
【図２】
0004705883.tif 000003
【図３】
0004705883.tif 000004
【図４】
0004705883.tif 000005
【図５】
0004705883.tif 000006
【図６】
0004705883.tif 000007
【図７】
0004705883.tif 000008
【図８】
0004705883.tif 000009
【図９】
0004705883.tif 000010
【図１０】
0004705883.tif 000011